(57)【要約】  毛髪ケア装置における使用のための空気出口グリルは、複数の同心の傾斜した流れガイド面２を有し、流れガイド面２の断面は、空気流の方向に発散する湾曲した形状を持つ。好適には、流れガイド面２間の傾斜角は、該空気出口グリルの空気入口面積が、該空気出口グリルの空気出口面積よりも大きくなるよう設計され、これにより空気の速度を増大させる。好適には、中間部の前記流れガイド面は、少なくとも１つの他の流れガイド面に比べて小さな高さを持ち、これにより、該空気出口グリルの中間部分において空気が通過する面積を増大させる。好適には、流れガイド面２の少なくとも１つの前方端は、空気流の方向に対して接線方向であり、該流れガイド面の後方端は、空気流の方向から発散する。好適には、流れガイド面２の少なくとも１つの断面輪郭は翼形状であり、空気流の方向における前方端の厚さが後方端の厚さよりも小さい。
2018526053.tif 000002
【特許請求の範囲】
【請求項１】
複数の同心の傾斜した流れガイド面を有する空気出口グリルにおいて、前記流れガイド面の断面が、空気流の方向に発散する湾曲した形状を持つことを特徴とする、空気出口グリル。
【請求項２】
前記流れガイド面間の傾斜角は、前記空気出口グリルの空気入口面積が、前記空気出口グリルの空気出口面積よりも大きくなるよう設計された、請求項１に記載の空気出口グリル。
【請求項３】
中間部の前記流れガイド面は、少なくとも１つの他の流れガイド面に比べて小さな高さを持つ、請求項１又は２に記載の空気出口グリル。
【請求項４】
前記流れガイド面の少なくとも１つの前方端は、空気流の方向に対して接線方向であり、前記流れガイド面の後方端は、空気流の方向から発散する、請求項１乃至３のいずれか一項に記載の空気出口グリル。
【請求項５】
前記流れガイド面の少なくとも１つの断面輪郭は翼形状であり、空気流の方向における前方端の厚さが後方端の厚さよりも小さい、請求項１乃至４のいずれか一項に記載の空気出口グリル。
【請求項６】
請求項１乃至５のいずれか一項に記載の空気出口グリルを備えた、毛髪ケア装置。
【発明の詳細な説明】
【技術分野】
【０００１】
本発明は、毛髪ケア装置に関し、特に毛髪ケア装置における使用のための空気出口グリルに関する。
【背景技術】
【０００２】
国際特許出願公開WO2012/012934は、毛髪トリートメント機器のためのアクセサリを開示している。該アクセサリは、筐体、長軸を持つ空気流ガイド部材、及び制御ノブを有する。該空気流ガイド部材は、弾性材料（例えばシリコーンゴム）からつくられる。該制御ノブは、該空気流ガイド部材を、集中型配置と拡散型配置との間で動かす。該空気流ガイド部材が該集中型配置にある場合には、該アクセサリに入る空気は、該空気流ガイド部材により、該空気流ガイド部材の長軸に向かう方向に、該アクセサリから出るようにガイドされ、該空気流ガイド部材が該拡散型配置にある場合には、該アクセサリに入る空気は、該空気流ガイド部材により、該空気流ガイド部材の長軸から離れる方向に、該アクセサリから出るようにガイドされる。
【０００３】
中国実用新案公開CN201557699Uは、殻部を有する電動毛髪ドライヤーであって、該殻部は、空気入口及び空気出口を備えた、電動毛髪ドライヤーにおいて、前記空気出口が、空気ガイド環と複数の空気ガイド格子とを有する空気ガイド装置を備え、該空気ガイド格子は、２つの群に分割され、該空気ガイド環にしっかりと固定的に装着されたことを特徴とする、電動毛髪ドライヤーを開示している。該電動毛髪ドライヤーは、構造的に、該空気ガイド環と空気ガイド格子とを有する空気ガイド装置が、該電動毛髪ドライヤーの空気出口に装着され、２つの群に分割された空気ガイド格子が、該空気ガイド環にしっかりと固定的に装着され、該電動毛髪ドライヤーにより吹き出される空気が、該空気ガイド装置により完全に分散させられることができ、斯くして吹き出し領域を大きく拡大し、空気が毛髪と完全に接触することを可能とし、毛髪を乾燥させる効率を向上させることを特徴としている。
【０００４】
中国特許CN2636694は、電動ドライヤーの空気出口ネットを開示している。該空気出口ネットは、内側円錐形円筒部と、同軸上の外側円錐形円筒部と、から成り、該内側円錐形円筒部は、該外側円錐形円筒部の内側に補強リブを通して固定され、該外側円錐形円筒部の外側面は、複数の補強リブを備え、空気入口の一方の端の先端部に、回転防止位置決め切欠きが配置される。該毛髪ドライヤーにより吹き出される空気は、既存の空気出口ネットに比べて集中させられ、空気の速度及び温度がいずれも改善され、毛髪を乾燥させる効果が好適となる。同軸に２つの円筒部を採用することにより、円筒部の強度が好適となり、耐衝撃性が良好となるが、その一方、１つの円筒部のみを備える空気出口に比べて、毛髪ドライヤーの空気円筒部の直径が大きくなり得る。
【発明の概要】
【発明が解決しようとする課題】
【０００５】
本発明の目的は、数あるなかでも、改善された毛髪ケア装置を提供することにある。本発明は、独立請求項により定義される。有利な実施例は、従属請求項において定義される。
【課題を解決するための手段】
【０００６】
本発明による毛髪ケア装置は、複数の同心の傾斜した流れガイド面を持つ、新規な３次元（３Ｄ）輪郭の空気出口グリルを持ち、該流れガイド面の断面は、空気の流れ方向において発散する湾曲した形状を持ち、空気が先行技術におけるよりも大きな寸法へと広がるため、該流れガイド面は、送風器を通過する空気の、より大きな空気の広がりをもたらす。該３Ｄ輪郭の空気出口グリルは、送風器が毛髪用ドライヤー又は毛髪スタイラーである場合には重要なユーザの利益となる、送風器の乾燥速度を増大させ得る。好適には、該流れガイド面間の傾斜角は、該空気出口グリルの空気入口面積が、該空気出口グリルの空気出口面積よりも大きくなり、そのため空気の速度を増大させるよう設計される。好適には、中間部の流れガイド面は、少なくとも１つの他の流れガイド面ｎ比べて小さな高さを持ち、それにより、空気出口グリルの中間部において空気が通過する面積を増大させる。好適には、少なくとも１つの流れガイド面の前方端は、空気の流れ方向に対して接線方向であり、流れガイド面の後方端は、空気の流れ方向から発散する。好適には、少なくとも１つの流れガイド面の断面輪郭は、翼形状であり、それにより、空気流れ方向において、前方端の厚さが後方端の厚さよりも小さい。
【０００７】
本発明のこれらの及び他の態様は、以下に説明される実施例を参照しながら説明され明らかとなるであろう。
【図面の簡単な説明】
【０００８】
【図１】本発明による空気出口グリルの実施例を示す。
【図２】本発明による空気出口グリルの実施例を示す。
【発明を実施するための形態】
【０００９】
図１及び２は、本発明による３Ｄ輪郭の空気出口グリルを示す。該空気出口グリルは、外環１、流れガイド面２、及び保護リブ３を持つ。
【００１０】
外環１は、流れガイド面２に対する支持及び装着方法を提供する。しかしながら、該空気出口グリルは、必ずしも外環を備える必要はない。流れガイド面２が、何らかの方法で、例えば流れガイド面２の遠位端の一部を収容する周縁溝により、送風器筐体の内側面に結合されることも想到可能である。外環１は、流れガイド面２に嵌合する本体であり、スナップ式接合、接着、超音波溶接、バヨネット式装着、ねじ又はこれらの組み合わせにより、送風器と整合するよう設計される。
【００１１】
流れガイド面２の輪郭は、湾曲され、空気の流れの軸に対して傾斜した角度を持つよう特に設計される。流れガイド面２間には、空気出口グリルを通る空気の動きを許容するための、開口領域がある。空気が流れガイド面２間の空間を通過するとき、該空気はより外側へと向けられる。流れガイド面２間の傾斜角は、空気入口面積が空気出口面積よりも大きくなり、それにより空気の速度が増大するよう設計される。これらの効果は、空気流のカバー面積を増大させる。流れガイド面２は、周縁部の空気流に軸方向の空気流をそらすよう設計された特殊な輪郭を持ち、空気が通過することを許容する開口を提供する。
【００１２】
流れガイド面２の数は、奇数でも偶数でも良い。
【００１３】
流れガイド面の環は、円形でも楕円形でも良く、これら環は同心である。
【００１４】
流れガイド面２間の空間は、生体部分のアクセス可能性を回避するため、規制要件を満たすよう設計されても良い。付加的な安全特徴が備えられる場合、流れガイド面２間の空間はより大きくなり得ることが想到され得る。
【００１５】
保護リブ３は、流れガイド面２への構造的及び機械的な保護を提供し、生体部分のアクセス可能性を回避するための規制要件を満たすための障壁を形成する。付加的な安全特徴が備えられる場合、中心の保護リブは取り除かれ得ることが想到され得る。
【００１６】
本発明の空気出口グリルは、温かい空気のカバー面積を増大させ、乾燥速度を増大させる。該３Ｄ輪郭の空気出口グリルは、通常の空気出口グリルを置き換えることができ、アタッチメントとして通常の送風器に装着できる。
【００１７】
図２は、流れガイド面の環２が段階状に配置され、中央の環が他のものよりも低いことを示す。該空気出口グリルの中央部において空気が通過する面積を増大させることが意図されている。図２はまた、流れガイド面の環２が平行に配置されておらず、湾曲していることを示す。流れガイド面の環２の断面輪郭は、翼型であり、前方端の厚さが後方端の厚さよりも小さい。ここで、流れガイド面の前方端とは、入ってくる空気流に最初に接触する端を意味する。後方端は、該流れガイド面から空気流が出ていく端を意味する。該流れガイド面の前方端は、空気流の方向に対して接線方向であり、該流れガイド面の後方端は、空気流の方向から発散する。図２において、空気流は右から左へ流れる。
【００１８】
上述の実施例は本発明を限定するものではなく説明するものであって、当業者は添付する請求項の範囲から逸脱することなく多くの代替実施例を設計することが可能であろうことは留意されるべきである。請求項において、括弧に挟まれたいずれの参照記号も、請求の範囲を限定するものとして解釈されるべきではない。「有する（comprise）」なる語は、請求項に記載されたもの以外の要素又はステップの存在を除外するものではない。要素に先行する「１つの（a又はan）」なる語は、複数の斯かる要素の存在を除外するものではない。
【図１】
2018526053.tif 000003
【図２】
2018526053.tif 000004
【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
複数の同心の傾斜した流れガイド面を有する空気出口グリルにおいて、前記流れガイド面の断面が、空気流の方向に発散する湾曲した形状を持つことを特徴とする、空気出口グリル。
【請求項２】
前記流れガイド面間の傾斜角は、前記空気出口グリルの空気入口面積が、前記空気出口グリルの空気出口面積よりも大きくなるよう設計された、請求項１に記載の空気出口グリル。
【請求項３】
中間部の前記流れガイド面は、少なくとも１つの他の流れガイド面に比べて小さな高さを持つ、請求項１又は２に記載の空気出口グリル。
【請求項４】
前記流れガイド面の少なくとも１つの前方端は、空気流の方向に対して接線方向であり、前記流れガイド面の後方端は、空気流の方向から発散する、請求項１乃至３のいずれか一項に記載の空気出口グリル。
【請求項５】
前記流れガイド面の少なくとも１つの断面輪郭は翼形状であり、空気流の方向における前方端の厚さが後方端の厚さよりも小さい、請求項１乃至４のいずれか一項に記載の空気出口グリル。
【国際調査報告】
2018526053.tif 000005
2018526053.tif 000006
2018526053.tif 000007